【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
画像を取得する取得手段と、
前記取得手段で取得した画像に含まれる被写体の特徴データを抽出する抽出手段と、
記憶手段に画像を記憶するように制御する記憶制御手段と、
前記抽出手段で抽出した前記特徴データに類似した特徴データを有する画像を前記記憶手段に記憶されている画像の中から検索する検索手段と、
前記検索手段によって検索された複数の画像のうち、該検索された複数の画像のそれぞれの付随データに基づいて、表示すべき画像を選択する選択手段と、
前記取得手段で取得した画像と共に、前記選択手段で選択した画像を表示する表示制御手段と、
を有することを特徴とする画像処理装置。
【請求項２】
前記付随データは、前記画像に含まれる被写体の特徴データ、当該画像に含まれる被写体の数、当該画像の構図情報及び作成日時情報の少なくともいずれかを含むことを特徴とする請求項１に記載の画像処理装置。
【請求項３】
前記選択手段は、前記付随データに含まれる前記作成日時情報の順に所定数の画像を選択することを特徴とする請求項２に記載の画像処理装置。
【請求項４】
前記選択手段は、前記付随データに含まれる前記構図情報に基づいて、前記取得手段で取得した画像に構図が近い順に所定数の画像を選択することを特徴とする請求項２に記載の画像処理装置。
【請求項５】
前記選択手段は、前記抽出手段で抽出した前記特徴データと、前記検索された複数の画像のそれぞれの付随データに含まれる前記特徴データとの類似度の高い順に所定数の画像を選択することを特徴とする請求項２に記載の画像処理装置。
【請求項６】
前記検索手段によって検索された複数の画像を、前記付随データに基づいてグループ分けするグループ分け手段を更に有し、
前記選択手段は、前記表示すべき画像として前記グループ分けされたグループの代表画像を選択することを特徴とする請求項２に記載の画像処理装置。
【請求項７】
前記グループ分け手段は、前記付随データに含まれる当該画像に含まれる被写体の数と当該画像の構図情報との少なくとも一方に基づいてグループ分けを行うことを特徴とする請求項６に記載の画像処理装置。
【請求項８】
前記表示制御手段は、前記構図情報に基づき、前記選択した画像の中で前記取得手段で取得した画像と類似する構図の画像を識別可能に表示することを特徴とする請求項２又は４に記載の画像処理装置。
【請求項９】
前記取得手段は、連続的に撮影された一連の画像を順次取得することを特徴とする請求項１乃至８のいずれか１項に記載の画像処理装置。
【請求項１０】
前記表示制御手段による表示の後に、撮影の指示を受け付けて撮像手段から取得した画像を記録媒体に記録する本撮影動作を実行するように制御する撮影制御手段を更に有し、
前記取得手段は、前記撮像手段から画像を取得することを特徴とする請求項９に記載の画像処理装置。
【請求項１１】
前記表示制御手段による表示の後に静止画切り出しの指示を受け付けて静止画を記録媒体に記録するように制御する静止画切り出し手段を更に有し、
前記取得手段は、前記記憶手段から動画像を取得し、前記表示制御手段は、前記取得手段で取得した前記動画像を再生して表示することを特徴とする請求項９に記載の画像処理装置。
【請求項１２】
画像処理装置の制御方法であって、
前記画像処理装置の取得手段が、画像を取得する取得工程と、
前記画像処理装置の抽出手段が、前記取得工程で取得した画像に含まれる被写体の特徴データを抽出する抽出工程と、
記憶手段に画像を記憶するように制御する記憶制御手段と、
前記画像処理装置の検索手段が、前記抽出工程で抽出した前記特徴データに類似した特徴データを有する画像を、前記記憶手段に記憶されている画像の中から検索する検索工程と、
前記画像処理装置の選択手段が、前記検索工程で検索された複数の画像のうち、該検索された複数の画像のそれぞれの付随データに基づいて、表示すべき画像を選択する選択工程と、
前記画像処理装置の表示制御手段が、前記取得工程で取得した画像と共に、前記選択工程で選択した画像を表示する表示制御工程と、
を有することを特徴とする画像処理装置の制御方法。
【請求項１３】
コンピュータを、
画像を取得する取得手段と、
前記取得手段で取得した画像に含まれる被写体の特徴データを抽出する抽出手段と、
記憶手段に画像を記憶するように制御する記憶制御手段と、
前記抽出手段で抽出した前記特徴データに類似した特徴データを有する画像を前記記憶手段に記憶されている画像の中から検索する検索手段と、
前記検索手段によって検索された複数の画像のうち、該検索された複数の画像のそれぞれの付随データに基づいて、表示すべき画像を選択する選択手段と、
前記取得手段で取得した画像と共に、前記選択手段で選択した画像を表示する表示制御手段と、
を有する画像処理装置として機能させるためのプログラム。
【請求項１４】
請求項１３に記載のプログラムを格納した、コンピュータにより読み取り可能な記録媒体。
【手続補正２】
【補正対象書類名】明細書
【補正対象項目名】０００６
【補正方法】変更
【補正の内容】
【０００６】
本発明の特徴は、画像に含まれる被写体の特徴データに類似した過去の画像を検索して、その検索した複数の画像のうち、該検索された複数の画像のそれぞれの付随データに基づいて表示すべき画像を選択し、その選択した画像と、取得した画像とを同時に表示して、取得した画像を処理する前に参照できるようにすることにある。
【手続補正３】
【補正対象書類名】明細書
【補正対象項目名】０００７
【補正方法】変更
【補正の内容】
【０００７】
上記目的を達成するために本発明の一態様に係る画像処理装置は以下のような構成を備える。即ち、
画像を取得する取得手段と、
前記取得手段で取得した画像に含まれる被写体の特徴データを抽出する抽出手段と、
記憶手段に画像を記憶するように制御する記憶制御手段と、
前記抽出手段で抽出した前記特徴データに類似した特徴データを有する画像を前記記憶手段に記憶されている画像の中から検索する検索手段と、
前記検索手段によって検索された複数の画像のうち、該検索された複数の画像のそれぞれの付随データに基づいて、表示すべき画像を選択する選択手段と、
前記取得手段で取得した画像と共に、前記選択手段で選択した画像を表示する表示制御手段と、を有することを特徴とする。
【手続補正４】
【補正対象書類名】明細書
【補正対象項目名】０００８
【補正方法】変更
【補正の内容】
【０００８】
本発明によれば、画像に含まれる被写体の特徴データに類似した過去の画像を検索して、その検索した複数の画像のうち、該検索された複数の画像のそれぞれの付随データに基づいて表示すべき画像を選択し、その選択した画像と、取得した画像とを同時に表示して、取得した画像を処理する前に参照できる効果がある。
【手続補正５】
【補正対象書類名】明細書
【補正対象項目名】００３１
【補正方法】変更
【補正の内容】
【００３１】
こうしてＳ１７で、ＲＡＭ１１１の検索テーブル全体の比較が終了するとＳ２０に進み、表示準備テーブルにコピーされたデータがあるかどうかを判定する。コピーされたデータがあるときはＳ２１に進み、そうでないときはＳ２４に進む。Ｓ２１では、この表示準備テーブルのデータを決められた規則によりソートする。このソート規則の例は例えば以下のようである。
・プレビュー画像の単数もしくは複数の被写体の特徴データとの類似度に基づく順序（例えば、特徴データの類似度が高い順）
・日時情報に基づく順序（例えば、現在の日時に近い順）
・プレビュー画像の構図と表示準備テーブルの構図解析データとの比較に基づく順序（例えば、構図が近い（類似している）順）
等が考えられる。次にＳ２２に進み、ソートされた上位のデータに含まれるポインタ２０１から画像を取得する。次にＳ２３に進み、画像処理部１０２にて画像の縮小処理を行った後、プレビュー画像と合成して画像出力部１０９へ表示する。このとき、縮小画はプレビュー画像の上にピクチャーインピクチャー形式で表示されても良く、画像処理部１０２にてプレビュー画も縮小又はトリミングされた後、縮小画が重ならないように表示される形式でも構わない。